(57)【要約】【課題】既に販売された新刊、あるいは、廃版になった書籍等の書籍登録情報を効率良く電子配信処理できるようにすると共に、無駄な経費を削減できるようにする。【解決手段】任意の情報内容を電子化して配信するシステムであって、この情報内容を配信する情報配信装置２と、この情報配信装置２から情報内容を受信して処理する情報処理装置＃ｉとを備え、この情報配信装置２は、電子化を希望する任意の情報内容の登録を受け付けると共に当該情報内容を管理し、ここに受け付け管理される情報内容の登録数と予め設定された電子化規定数とを比較し、当該比較結果に基づいて情報内容を電子化するものである。この構成によって、電子書籍サービス提供業者側では情報内容の登録数が電子化規定数を越えた場合に、当該情報内容を電子化してユーザへ配信することができる。【選択図】        図１
2004240842.tif 000002
【特許請求の範囲】
【請求項１】
任意の情報内容を電子化して配信するシステムであって、
前記情報内容を配信する情報配信装置と、
前記情報配信装置から情報内容を受信して処理する情報処理装置とを備え、
前記情報配信装置は、
電子化を希望する任意の情報内容の登録を受け付けると共に当該情報内容を管理し、
受け付け管理される前記情報内容の登録数と予め設定された電子化規定数とを比較し、
当該比較結果に基づいて前記情報内容を電子化することを特徴とする電子情報配信システム。
【請求項２】
前記情報配信装置は、
電子化を希望する前記情報内容が書籍登録情報である場合、
前記書籍登録情報を受け付けると共に当該書籍登録情報を管理し、
受け付けられた前記書籍登録情報の登録数と予め設定した電子化規定数とを比較し、
当該比較結果に基づいて前記書籍登録情報を電子化することを特徴とする請求項１に記載の電子情報配信システム。
【請求項３】
前記情報配信装置及び／又は前記情報処理装置には前記情報内容の登録数を含む登録項目を検索する検索手段が備えられることを特徴とする請求項１に記載の電子情報配信システム。
【請求項４】
前記情報配信装置及び／又は前記情報処理装置には前記情報内容の登録数を含む登録項目を表示する表示手段が備えられることを特徴とする請求項１に記載の電子情報配信システム。
【請求項５】
前記情報配信装置及び／又は前記情報処理装置には情報内容を記憶する不揮発性の記憶装置を備えることを特徴とする請求項１に記載の電子情報配信システム。
【請求項６】
前記情報内容には新刊、廃版になった書籍の他に電子音楽及び／又は映像情報が含まれることを特徴とする請求項１に記載の電子情報配信システム。
【請求項７】
前記情報内容は、
前記情報内容の電子化を希望する者から電子情報配信事業者へ提供されることを特徴とする請求項１に記載の電子情報配信システム。
【請求項８】
任意の情報内容を電子化して配信する装置であって、
電子化を希望する任意の情報内容の登録を受け付ける入力手段と、
前記入力手段によって受け付けられた情報内容を管理する情報管理手段と、
前記情報管理手段によって管理される前記情報内容の登録数と予め設定された電子化規定数とを比較し、当該比較結果に基づいて前記情報内容を電子化する情報作成手段と、
前記情報作成手段によって作成された電子情報内容を配信する情報配信手段とを備えることを特徴とする情報配信装置。
【請求項９】
前記電子化を希望する情報内容が書籍登録情報である場合に、
前記書籍登録情報を受け付けると共に当該書籍登録情報を管理し、
受け付けられた前記書籍登録情報数と予め設定した電子化規定数とを比較し、
当該比較結果に基づいて前記書籍登録情報を電子化することを特徴とする請求項８に記載の情報配信装置。
【請求項１０】
前記情報内容の登録数を含む登録項目を検索する検索手段が備えられることを特徴とする請求項８に記載の情報配信装置。
【請求項１１】
前記情報内容の登録数を含む登録項目を表示する表示手段が備えられることを特徴とする請求項８に記載の情報配信装置。
【請求項１２】
前記情報内容を記憶する不揮発性の記憶装置を備えることを特徴とする請求項８に記載の情報配信装置。
【請求項１３】
前記情報内容には新刊、廃版になった書籍の他に電子音楽及び／又は映像情報が含まれることを特徴とする請求項８に記載の情報配信装置。
【請求項１４】
前記情報内容は、
前記情報内容の電子化を希望する者から電子情報配信事業者へ提供されることを特徴とする請求項８に記載の情報配信装置。
【請求項１５】
任意の情報内容を電子化して処理する方法であって、
電子化を希望する前記情報内容の登録を受け付けると共に当該情報内容を管理し、
受け付けられた前記情報内容の登録数と予め設定した電子化規定数とを比較し、
当該比較結果に基づいて前記情報内容を電子化して配信することを特徴とする情報処理方法。
【請求項１６】
前記電子化を希望する情報内容が書籍登録情報である場合、
前記書籍登録情報を受け付けると共に当該書籍登録情報を管理し、
受け付けられた前記書籍登録情報の登録数と予め設定した電子化規定数とを比較し、
当該比較結果に基づいて前記書籍登録情報を電子化することを特徴とする請求項１５に記載の情報処理方法。
【請求項１７】
前記情報内容の登録数を含む登録項目を表示し、
表示された前記情報内容の登録数を含む登録項目を検索することを特徴とする請求項１５に記載の情報処理方法。
【請求項１８】
前記情報内容には新刊、廃版になった書籍の他に電子音楽及び／又は映像情報が含まれることを特徴とする請求項１５に記載の情報処理方法。
【請求項１９】
前記情報内容は、
前記情報内容の電子化を希望する者から電子情報配信事業者へ提供されることを特徴とする請求項１５に記載の情報処理方法。
【発明の詳細な説明】
【０００１】
【発明の属する技術分野】
本発明は、既に販売された新刊、あるいは、廃版になった書籍等の書籍登録情報を電子配信処理するカスタマー希望登録書籍電子情報配信システム等に適用して好適な電子情報配信システム、情報配信装置及び情報処理方法に関する。
【０００２】
詳しくは、任意の情報内容を電子化して配信する情報配信装置を備え、電子化を希望する任意の情報内容の登録を受け付けると共に当該情報内容を管理し、ここに受け付け管理される情報内容の登録数と予め設定された電子化規定数とを比較し、当該比較結果に基づいて情報内容を電子化して、既に販売された新刊、あるいは、廃版になった書籍等の書籍登録情報を効率良く電子配信処理できるようにすると共に、無駄な経費を削減できるようにしたものである。
【０００３】
【従来の技術】
従来から、販売対象となる「本」等の書籍物が出版社から書籍店に納品され、エンドユーザは書籍店に代金を支払って「本」を購入する形態が取られる場合が多い。その後、エンドユーザは「本」を入手し、それを読み終わると、自宅の本棚等で保管するようになされる。
【０００４】
一方、近年の情報処理分野の飛躍的な発展に伴い、携帯電話機や、ノート型のパーソナルコンピュータ（以下パソコンという）、携帯型情報端末装置等あるいは、デスクトップ型のパソコンが使用される場合が多くなってきた。また、電子書籍提供業者（サービスメーカー）の主導でエンドユーザが欲しいと思われる「本」を決定して、それを電子化し電子書籍データで発売する形態が取られるに至っている。この種の電子書籍データは携帯電話機、ノート型のパソコンといった携帯型情報端末装置や、デスクトップ型のパソコン等により表示処理可能となされている。
【０００５】
ところで、特許文献１には出版システムが開示され、このシステムによれば、書籍が本来的に有する可読性、可搬性及び所有性の利点を損なわずに、需用者が希望する印刷スタイルや、装丁スタイルに基づいて製本ができるようにしたものである。また、特許文献２にはオンデマンド出版サーバ等が開示され、このサーバによれば、読者一人一人の要求に応じた形態で書籍を出版できるようにしたものである。
【０００６】
更にまた、特許文献３にはエンドユーザの注文に応じて書籍物を個別に出版するＰＯＤ（Ｐｒｉｎｔ  Ｏｎ  Ｄｅｍａｎｄ）システムが開示されている。このシステムによれば、出版注文が予想されるタイトルの書籍物を予め複数選考して各々を電子書籍データ化してストックする。そして、予め電子書籍データ化された書籍物のタイトルをインターネット上のホームページ等にリスト表示をする。このリスト表示されたタイトルの中から、エンドユーザにパソコン等を通じて自由に選択してもらう。サービスメーカーでは、選択されたタイトルの電子書籍データに基づいて実際に製本し、ここで製本された書籍物をエンドユーザに配達するようにしたものである。サービスメーカーでは、複数のタイトルの書籍物に係る電子書籍データを前もって準備し確保しておくことで、何時くるか分からない出版注文に備えている。
【０００７】
【特許文献１】
特開２００１−２９０９７３号公報（第２頁，右欄）
【特許文献２】
特開２００２−２０７８１５号公報（第４頁，左欄）
【特許文献３】
特開２００２−２１５９１３号公報（第２頁，左欄）
【０００８】
【発明が解決しようとする課題】
ところで、従来例に係る書籍物提供システムには次のような問題がある。
【０００９】
▲１▼  エンドユーザが「本」を継続して購入すると、新刊を含めて廃版になった書籍等もどんどん増えてくる。エンドユーザは、その保管場所に困っているが捨てられずにいる。つまり、既に自分がパッケージ本として持っており、「本」の保管場所の制約等で捨てたいが、自己の財産情報として持っておきたいために捨てられずにいるのが現状である。
【００１０】
▲２▼  また、特許文献１乃至特許文献３に見られるようなＰＯＤシステム等によれば、出版注文が予想されるタイトルの書籍物を予め複数選考したり、何時くるか分からない出版注文に備えて、複数のタイトルの書籍物に係る電子書籍データを前もって準備し確保しておかなければならない。しかも、エンドユーザが持っていない本のみの購入を想定している方法では、販売市場が狭いものとなってしまう。
【００１１】
▲３▼  一般に、書籍物の電子化及びデータ管理には、多くのコストがかかることから、サービスメーカー主導で、次から次へと電子化した「本」を販売する形態を採ると採算が合わないディジタルコンテンツを多く保有するといった事態が予想される。
【００１２】
そこで、この発明はこのような従来の課題を解決したものであって、既に販売された新刊、あるいは、廃版になった書籍等の電子書籍データを効率良く電子配信処理できるようにすると共に、無駄な経費を削減できるようにした電子情報配信システム、情報配信装置及び情報処理方法を提供することを目的とする。
【００１３】
【課題を解決するための手段】
上述した課題は、任意の情報内容を電子化して配信するシステムであって、この情報内容を配信する情報配信装置と、この情報配信装置から情報内容を受信して処理する情報処理装置とを備え、この情報配信装置は、電子化を希望する任意の情報内容の登録を受け付けると共に当該情報内容を管理し、ここに受け付け管理される情報内容の登録数と予め設定された電子化規定数とを比較し、当該比較結果に基づいて情報内容を電子化することを特徴とする電子情報配信システムによって解決される。
【００１４】
本発明に係る電子情報配信システムによれば、任意の情報内容を電子化して配信する場合に、電子情報配信事業者側には情報配信装置が準備され、情報利用者側には情報処理装置が準備される。これを前提にして、情報配信装置では、電子化を希望する任意の情報内容の登録を受け付けると共に当該情報内容が管理される。ここで受け付け管理される情報内容の登録数と予め設定された電子化規定数とが情報配信装置で比較され、当該比較結果に基づいて情報内容を電子化するようになされる。この電子化後の情報内容は情報配信装置から情報利用者側の情報処理装置へ配信される。
【００１５】
従って、電子情報配信事業者側では情報内容の登録数が電子化規定数を越えた場合に、当該情報内容を電子化して情報利用者へ配信することができるので、既に販売された新刊、あるいは、廃版になった書籍等の書籍登録情報を効率良く電子配信処理する書籍登録情報電子配信システム等を構築できるようになる。
【００１６】
また、情報内容の登録数が電子化規定数以下である場合には、その情報内容の電子化を踏み止めることができるので、当該電子情報配信事業者にとって無駄な経費を削減できるようになる。更に、電子化に供される情報内容が電子化を希望する者から電子配信事業者へ提供されるので、電子情報配信事業者にとって、従来方式のＰＯＤ（Ｐｒｉｎｔ  Ｏｎ  Ｄｅｍａｎｄ）システムのように、電子化注文が何時くるか分からない電子情報内容を予測して前もって準備し確保しておく必要もなくなる。
【００１７】
しかも、情報内容が書籍の場合、情報利用者が既に、新刊、廃版になった書籍等を所有していて、その保管場所に困っているが捨てられずにいる本等を効率良く処分できるようになる。当該情報利用者にとって、今まで、書籍という紙形態で所有していた本等を電子書籍というデータ形態で所有できるようになる。
【００１８】
本発明に係る情報配信装置は、任意の情報内容を電子化して配信する場合に、電子化を希望する任意の情報内容の登録を受け付ける入力手段と、この入力手段によって受け付けられた情報内容を管理する情報管理手段と、この情報管理手段によって管理される情報内容の登録数と予め設定された電子化規定数とを比較し、当該比較結果に基づいて情報内容を電子化する情報作成手段と、この情報作成手段によって作成された電子情報内容を配信する情報配信手段とを備えることを特徴とするものである。
【００１９】
本発明に係る情報配信装置によれば、任意の情報内容を電子化して配信する場合に、入力手段を使用して電子化を希望する任意の情報内容の登録が受け付けられる。情報管理手段では、入力手段によって受け付けられた情報内容が管理される。情報作成手段では情報管理手段によって管理される情報内容の登録数と予め設定された電子化規定数とが比較され、当該比較結果に基づいて情報内容を電子化するようになされる。情報配信手段では、情報作成手段によって作成された電子情報内容を情報利用者へ配信するようになされる。
【００２０】
従って、電子情報配信事業者側では情報内容の登録数が電子化規定数を越えた場合に、当該情報内容を電子化して情報利用者へ配信することができるので、既に販売された新刊、あるいは、廃版になった書籍等の書籍登録情報を効率良く電子配信処理する書籍登録情報電子配信システム等の構築に当該情報配信装置を十分応用できるようになる。
【００２１】
本発明に係る情報処理方法は、任意の情報内容を電子化して処理する方法であって、電子化を希望する情報内容の登録を受け付けると共に当該情報内容を管理し、受け付けられた情報内容の登録数と予め設定した電子化規定数とを比較し、
当該比較結果に基づいて情報内容を電子化して配信するものである。
【００２２】
本発明に係る情報処理方法によれば、任意の情報内容を電子化して配信する場合に、情報内容の登録数が電子化規定数を越えた場合に、当該情報内容を電子化して配信することができるので、既に販売された新刊、あるいは、廃版になった書籍等の書籍登録情報を効率良く電子配信処理する書籍登録情報電子配信システム等を構築できるようになる。しかも、書籍物の電子化のメリットである“本が占有している空間を無くす”ことに販売市場を広げることでビジネスを拡大することができるようになる。
【００２３】
【発明の実施の形態】
続いて、この発明に係る電子情報配信システム、情報配信装置及び情報処理方法の一実施の形態について、図面を参照しながら説明をする。
【００２４】
（１）実施形態
図１Ａ及びＢは、本発明に係る実施形態としての電子情報配信システム１の構成例を示すブロック図及び、その処理例を示すフローチャートである。
【００２５】
この実施形態では、任意の情報内容を電子化して配信する情報配信装置を備え、電子化を希望する任意の情報内容の登録を受け付けると共に当該情報内容を管理し、ここに受け付け管理される情報内容の登録数と予め設定された電子化規定数とを比較し、当該比較結果に基づいて情報内容を電子化して、既に販売された新刊、あるいは、廃版になった書籍等の書籍登録情報を効率良く電子配信処理できるようにすると共に、無駄な経費を削減できるようにしたものである。
【００２６】
図１に示す電子情報配信システム１は、任意の情報内容を電子化してディジタルコンテンツを配信するシステムである。ディジタルコンテンツは電子音楽、映像等全ての電子化ビジネスモデルを対象とする。このシステム１は、例えば、既に販売された新刊、あるいは、廃版になった書籍等の情報内容を電子配信処理する書籍登録電子情報配信システム等に適用して好適である。この電子情報配信システム１で電子情報配信事業者には情報配信装置２が準備され、電子化した情報内容を情報利用者へ配信するようになされる。情報配信装置２にはデスクトップ型のパーソナルコンピュータ（以下パソコンという）や、ノート型のパソコンが使用される。
【００２７】
この情報配信装置２では、例えば、書籍登録情報Ｄ１を電子化して処理する場合であって、図１Ｂに示すフローチャートのステップＡ１で、情報利用者が電子化を希望する書籍登録情報Ｄ１が受け付けられて登録される。この書籍登録情報Ｄ１に関しては、情報利用者が保管等に困った新刊、廃版になった書籍などである。もちろん、これらに限られることはなく、これらの他に電子音楽及び／又は映像情報が含まれる。この書籍登録情報Ｄ１は、電子化を希望する者から電子情報配信事業者へ提供される。
【００２８】
これと共に、ステップＡ２で情報配信装置２では電子化を希望する書籍登録情報Ｄ１が管理される。例えば、電子化を希望する書籍登録情報Ｄ１の登録数Ｎｘが集計処理される。この情報配信装置２には予め電子化規定数Ｎｒが設定され、電子化が希望される書籍登録情報Ｄ１を電子化するか否かが決定される。電子化規定数Ｎｒは電子情報配信事業者側で採算が取れるように任意に設定される。Ｎｒは１以上の整数である。情報配信装置２では、ステップＡ３に移行して先に受け付け管理される書籍登録情報Ｄ１の登録数Ｎｘと予め設定された電子化規定数Ｎｒとが比較される。そして、ステップＡ４に移行して書籍登録情報Ｄ１の登録数Ｎｘと電子化規定数Ｎｒとの比較結果に基づいて情報内容を電子化する。
【００２９】
例えば、書籍登録情報Ｄ１の登録数Ｎｘが電子化規定数Ｎｒを越えた場合には採算が取れるため当該書籍登録情報Ｄ１を電子化する。この書籍登録情報Ｄ１の登録数Ｎｘが電子化規定数Ｎｒ以下である場合には採算が取れないので、その書籍登録情報Ｄ１の電子化を踏み止められる。そして、ステップＡ５に移行してこの電子化後の書籍登録情報Ｄ１は情報配信装置２から情報利用者側の情報処理装置へ電子書籍データＤ２となって配信される。
【００３０】
また、このシステム１で情報利用者側には情報処理装置＃ｉ（ｉ＝１〜ｎ）が準備され、この情報配信装置２から電子書籍データＤ２を受信して処理するようになされる。情報処理装置＃ｉには携帯型情報端末装置、ノート型のパソコン、デスクトップ型のパソコン、携帯電話機等が使用される。情報処理装置＃ｉでは例えば、先に登録し電子化された書籍（以下電子書籍という）を構成する活字や挿し絵等をモニタに表示したり、スピーカから、その電子書籍の取り扱い方法を案内する音声を出力するようになされる。
【００３１】
この電子情報配信装置２と情報処理装置＃ｉとは図示しない通信手段により接続される。通信手段には通信事業者の回線接続装置（交換機）、公衆通信網及び無線通信設備、通信ケーブル等が使用される。公衆通信網にはインターネットも含まれる。回線接続装置は回線加入者の宅内通信回線と通信事業者の公衆通信網等とを接続するものである。通信手段にはアナログ及びデジタルの通信回線等の既存の通信基盤を含むものである。例えば、デジタル通信回線には高速データ通信可能なＩＳＤＮ通信回線が利用される。
【００３２】
このように、本発明に係る実施形態としての電子情報配信システム１によれば、任意の書籍登録情報Ｄ１を電子化して配信する場合に、情報配信装置２では、電子化を希望する書籍登録情報Ｄ１の登録を受け付けると共に当該書籍登録情報Ｄ１が管理される。ここで受け付け管理される書籍登録情報Ｄ１の登録数Ｎｘと予め設定された電子化規定数Ｎｒとが情報配信装置２で比較され、当該比較結果に基づいて情報内容を電子化するようになされる。
【００３３】
従って、電子情報配信事業者側では書籍登録情報Ｄ１の登録数Ｎｘが電子化規定数Ｎｒを越えた場合に、当該書籍登録情報Ｄ１を電子化して情報利用者へ配信することができるので、既に販売された新刊、あるいは、廃版になった書籍等の電子書籍データＤ２を効率良く電子配信処理する書籍登録電子情報配信システム等を構築できるようになる。
【００３４】
また、書籍登録情報Ｄ１の登録数Ｎｘが電子化規定数Ｎｒ以下である場合には、その書籍登録情報Ｄ１の電子化を踏み止めることができるので、当該電子情報配信事業者にとって無駄な経費を削減できるようになる。更に、電子化に供される書籍登録情報Ｄ１が電子化を希望する者から電子配信事業者へ提供されるので、電子情報配信事業者にとって、従来方式のＰＯＤシステムのように、電子化注文が何時くるか分からない電子情報内容を予測して前もって準備する必要もなくなる。
【００３５】
しかも、電子化を希望する情報内容が書籍の場合、情報利用者が既に、新刊、廃版になった書籍等を所有していて、その保管場所に困っているが捨てられずにいる本等を効率良く処分できるようになる。当該情報利用者にとって、今まで、書籍という紙形態で所有していた本等を電子書籍というデータ形態で所有できるようになる。このように、書籍物の電子化のメリットである“本が占有している空間を無くす”ことに販売市場を広げることでビジネスを拡大することができるようになる。
【００３６】
（２）実施例
図２は本発明に係る実施例としてのカスタマー希望登録書籍電子情報配信システム１０の構成例を示す概念図である。
この実施例では電子情報配信システムの一例となるカスタマー希望登録書籍電子情報配信システム１０を構築し、既に販売された新刊、あるいは、廃版になった書籍等の書籍登録情報Ｄ１を効率良く電子配信処理できるようにすると共に、電子情報配信事業者（以下電子書籍サービス業者１０５という；委託業者でもよい）側では、その採算に目処がつくところまで、その電子化を控え、目的とする発行部数（カスタマー数）が得られたときに、電子化する。これにより、無駄な経費を削減できるようにしたものである。
【００３７】
図２に示すカスタマー希望登録書籍電子情報配信システム１０は、カスタマー２０が電子化を希望する書籍登録情報Ｄ１を電子化して当該カスタマー２０を含む他のエンドユーザへ電子配信するシステムである。この例ではカスタマー２０には情報処理装置の一例となるノート型のパソコン３が準備され、電子書籍サービス提供業者１０５には情報配信装置２が準備され、出版社１０３にもパソコン４が準備される。
【００３８】
また、図２に示す出版社１０３から書籍店５には経路▲７▼で販売対象となる「本」等の書籍が納品されている。これを前提にして、カスタマー２０は経路▲１▼で代金を書籍店５へ支払って「本」を購入する。その後、カスタマー２０は経路▲２▼で当該「本」を入手し、それを読み終わると、自宅の本棚等で保管するようになされる。カスタマー２０が「本」を継続して購入すると、新刊を含めて廃版になった書籍等もどんどん増えてくる。カスタマー２０は、その保管場所に困っているが捨てられずにいる。つまり、既に自分がパッケージ本として持っているが、電子書籍として欲しい書籍、例えば、「本」の保管場所の制約等で捨てたいが、自己の財産情報として持っておきたいために捨てられずにいるものを含む。
【００３９】
このような場合に、図３に示す経路▲３▼で当該システムでエンドユーザに対してサービスを受ける契約を締結してもらう。契約は電子書籍形態を成す電子書籍データＤ２を購入して頂くためでもある。このサービスに登録を済ませたエンドユーザをカスタマー２０と呼び、電子書籍サービス提供業者１０５は当該ユーザを特定できるようになる。カスタマー２０は同経路▲３▼で自分で電子書籍として持っておきたいと考えている書籍（以下登録本ともいう）を電子書籍サービス提供業者１０５に登録する。この登録本に関する情報は書籍登録情報Ｄ１を構成する。カスタマー２０が登録するものは、新刊、廃版になった書籍等である。なお、登録本を電子書籍サービス提供業者１０５に提供する（届ける）ことで、更に、電子化後の電子書籍データＤ２の購入時に安価にすることも可能となる。
【００４０】
一方、電子書籍サービス提供業者１０５ではカスタマー２０から登録があった書籍登録情報Ｄ１を管理する。このとき、電子書籍サービス提供業者１０５は、それぞれの登録本の需要を認知し、電子化をするか否かの判断をする。この判断には情報配信装置２による管理結果で各登録本が電子化規定数Ｎｒに達したところでその登録本を電子化するようになされる。電子化決定後は、実際に登録本の電子化を行う。例えば、電子書籍サービス提供業者１０５は図２に示す経路▲４▼で、カスタマー２０から電子化希望が有った登録本の電子化を出版社１０３へ委託する。
【００４１】
または、出版社１０３と著作権の使用許諾契約を締結して電子書籍サービス提供業者１０５で登録本に基づいて電子書籍データＤ２を作成する。出版社１０３で登録本を電子化した場合は、電子化後の電子書籍データＤ２が経路▲５▼で電子書籍サービス提供業者１０５へ転送される。このように、出版社１０３で登録本を電子化した場合や、著作権の使用許諾を契約した場合は、その後、同経路▲４▼で電子書籍サービス提供業者１０５と出版社１０３との間でコンテンツ料金を分配するようになされる。
【００４２】
他方、電子書籍サービス提供業者１０５は図２に示す経路▲６▼でカスタマー２０に対してインターネット等を通じて購入時期のお知らせをする。例えば、電子書籍サービス提供業者１０５は常にカスタマー２０に見える形で書籍登録情報Ｄ１をネット上の掲示板（ホームページ）等に表示する。このとき、電子書籍サービス提供業者１０５が管理する書籍登録情報Ｄ１をカスタマー２０において自由に検索できるようになされる。これにより、カスタマー２０は、逐次自分が登録した書籍について、その電子化の有無状況を確認することができる。この例で電子化決定後に、その旨をカスタマー２０に連絡するようにしてもよい。カスタマー２０は、同経路▲６▼で電子書籍データＤ２（ディジタルコンテンツ）を購入することができる。このとき、電子書籍サービス提供業者１０５は、電子書籍データＤ２を提供すると共にカスタマー２０に対して課金処理を行うようになされる。
【００４３】
図３は本発明に係る実施例としての情報配信装置２の内部構成例を示すブロック図である。
図３に示す情報配信装置２は、電子化が希望される書籍登録情報Ｄ１を電子化して電子書籍データＤ２（ディジタルコンテンツ；電子情報内容）を配信するものである。情報配信装置２は、システムバス２８を有している。このシステムバス２８にはＩ／Ｏインターフェース２１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ＥＥＰＲＯＭ１４、モニタ２２、管理エディタ２３、ハードディスク（ＨＤＤ）２４、ＣＰＵ（Ｃｅｎｔｒａｌ  Ｐｒｏｃｅｓｓｉｎｇ  Ｕｎｉｔ；中央処理ユニット）２５、作成エディタ２６及び通信モデム２７が接続される。Ｉ／Ｏインターフェース２１にはキーボード１１Ａ及びマウス等が接続される。
【００４４】
キーボード１１Ａ及びマウス１１Ｂ等はＩ／Ｏインターフェース２１と共に入力手段を構成し、書籍登録情報Ｄ１を電子化して電子書籍データＤ２を配信する場合に、電子化を希望する書籍の情報内容の登録を受け付けるように操作される。この例で、書籍登録情報Ｄ１には新刊、廃版になった書籍の他に電子音楽及び／又は映像情報が含まれる。この書籍登録情報Ｄ１の内容を成す書籍（本等）は、電子化を希望するカスタマー２０から電子書籍サービス提供業者１０５へ提供される。
【００４５】
また、キーボード１１Ａ及びマウス等は検索手段を兼ねており、書籍登録情報Ｄ１の登録数Ｎｘを含む登録項目を検索するように操作される。電子書籍サービス提供業者側で項目検索操作を容易にするためである。この検索はカスタマー２０からの登録本の状況や、電子書籍データＤ２の需要を確認するために行われる。
【００４６】
ＲＯＭ１２は当該情報配信装置２全体を制御するためのシステムプログラムデータＤ５が格納される。ＲＡＭ１３はワークメモリとして使用され、例えば、制御コマンド等を一時記憶するようになされる。ＥＥＰＲＯＭ１４にはバージョンアップ可能なシステムプログラムデータＤ６や、各種設定データが格納される。ＥＥＰＲＯＭ１４は電源が切られてもデータが消去されない、プログラム可能な読出し専用のメモリである。この例では電子化規定数Ｎｒに係る設定データがＥＥＰＲＯＭ１４に記述される。
【００４７】
ＣＰＵ２５は電源がオンされると、ＲＯＭ１２からシステムプログラムデータＤ５を読み出してシステムを起動し、キーボード１１Ａ及びマウス等からの操作データＤ３に基づいて当該情報配信装置２全体を制御するようになされる。例えば、ＣＰＵ２５は、電子化を希望する情報内容が書籍登録情報Ｄ１である場合に、この書籍登録情報Ｄ１を受け付けると共に当該書籍登録情報Ｄ１を管理し、ここで受け付けられた書籍登録情報Ｄ１の登録数Ｎｘと予め設定した電子化規定数Ｎｒとを比較し、当該比較結果に基づいて書籍登録情報Ｄ１を電子化するように管理エディタ２３や、作成エディタ２６等を制御する。
【００４８】
モニタ２２は表示手段の一例であり、書籍登録情報Ｄ１の登録数Ｎｘを含む登録項目を表示するように処理される。登録項目には契約済みのカスタマー２０の住所、連絡先情報、電子化を希望する登録本のタイトルや、発行年月日等が記述される。登録項目はＲＡＭ１３等から読み出した表示データＤ４に基づいて表示される。
【００４９】
管理エディタ２３は情報管理手段の一例であり、キーボード１１Ａ及びマウス等によって受け付けられた書籍登録情報Ｄ１の内容を管理するものであり、ソフトウエアによって実現される。このソフトウエアには既存のコンテンツ管理システム、顧客管理・販売管理システム、著作権管理システム等が使用される。顧客管理・販売管理システムには課金、請求及び納品等の処理プログラムや、販売管理及び商品管理等の処理プログラム、個人及び法人等の顧客管理プログラム等が含まれる。著作権管理システムにはコンテンツ料分配に係る事業者間精算プログラム、権利情報管理プログラムが含まれている。
【００５０】
ハードディスク２４は不揮発性の記憶装置の一例であり、書籍登録情報Ｄ１の内容を記憶するように処理される。登録本が電子化規定数Ｎｒに達したところでその書籍登録情報Ｄ１に基づいて登録本を電子化するためである。書籍登録情報Ｄ１の記録用のメモリには、データベースとして外部の記憶装置を接続して使用するようにしてもよい。
【００５１】
作成エディタ２６は情報作成手段の一例であり、管理エディタ２３によって管理される書籍登録情報Ｄ１の登録数Ｎｘと予め設定された電子化規定数Ｎｒとを比較し、当該比較結果に基づいて書籍登録情報Ｄ１の内容を電子化するように処理される。電子化後の書籍登録情報Ｄ１の内容は電子書籍データＤ２（ディジタルコンテンツ；電子情報内容）となる。作成エディタ２６は例えば、ソフトウエアによって実現され、オーサリングシステムが導入される。オーサリングシステムによれば、登録本の電子化（ディジタルデータ化）に必要なフォントの管理、統一フォーマット、新しい表現に係るプログラムが含まれる。
【００５２】
これにより、情報配信装置２において、書籍登録情報Ｄ１を受け付けると共に当該書籍登録情報Ｄ１を管理し、受け付けられた書籍登録情報Ｄ１の登録数Ｎｘと予め設定した電子化規定数Ｎｒとを比較し、当該比較結果に基づいて書籍登録情報Ｄ１を電子化できるようになる。
【００５３】
また、通信モデム２７は情報配信手段の一例であり、作成エディタ２６によって作成された電子書籍データＤ２をカスタマー２０へ配信するように処理される。もちろん、これに限られることはなく、当該システムに対するサービス契約の受付け、電子化を希望する書籍の登録時に各種データの受信処理がなされる。電子書籍データＤ２の配信や、サービス契約の受付け処理には、インターネットや公衆回線等の既存の通信基盤が使用される。
【００５４】
図４はパソコン３における電子書籍データＤ２の保存例を示す概念図である。図４に示すノート型のパソコン３は情報処理装置の一例であり、モニタ３２や、図示しないハードディスク内蔵の制御装置、キーボード３１Ａ及びマウス３１Ｂといった入力ツールの他に、この例ではデータ記録再生手段（ＣＤ−ＲＯＭドライバ）が設けられる。この記録再生手段はＣＤ−Ｒ等の記録媒体６を装着可能な機構を有している。このハードディスクやＣＤ−Ｒ等は不揮発性の記憶装置の一例であり、電子化された情報内容、すなわち、電子書籍データＤ２を記憶するようになされる。
【００５５】
この例で記録再生手段は、電子書籍サービス提供業者１０５の情報配信装置２からデータ配信される電子書籍データＤ２をこの記録媒体６に記録したり、その記録媒体６から電子書籍データＤ２を再生してモニタ３２に表示するように処理される。電子書籍データＤ２の保存に関してはこれに限られることはなく、パソコン内蔵のハードディスクに記録したり、そのハードディスクから電子書籍データＤ２を再生してモニタ３２に表示するように処理してもよい。
【００５６】
この例でキーボード３１Ａ及びマウス３１Ｂは検索手段の一例を構成し、電子書籍サービス提供業者１０５の情報配信装置２を接続して、書籍登録情報Ｄ１の登録数Ｎｘを含む登録項目を検索するように操作される。モニタ３２は表示手段を構成し、書籍登録情報Ｄ１の登録数Ｎｘを含む登録項目を表示するようになされる。このような表示及び操作処理によって、カスタマー２０は逐次自分が登録した書籍について、その電子化の有無状況を確認できるようになる。
【００５７】
続いて、本発明に係る情報処理方法について、当該システムにおける処理例を契約・登録時の処理例、情報配信装置２における処理例、登録状況検索時の処理例及び、電子書籍データＤ２の購入及びその利用時の処理例の４つの場合に分けて説明をする。
【００５８】
［契約・登録時の処理例］
図５はパソコン３における契約・登録時の処理例を示すフローチャートである。この例で電子化を希望する情報内容が書籍登録情報Ｄ１である場合を想定する。カスタマー２０には予めパソコン３が準備される。
【００５９】
これを処理条件にして図５に示すフローチャートのステップＢ１でパソコン３の電源をＯＮする。このとき、キーボード３１Ａ及びマウス３１Ｂ等の入力ツールを使用してシステムを立ち上げる。その後、ステップＢ２で電子書籍サービス提供業者１０５の情報配信装置２を呼出して、通信回線を接続する。この回線接続には通信事業者１０４のインターネットや公衆回線等の既存の通信基盤が使用される。そして、ステップＢ３で電子化を希望するエンドユーザは電子書籍サービス提供業者１０５とサービス契約を締結する。
【００６０】
その後、ステップＢ４で電子化を希望する書籍を登録する。このとき、新刊、廃版になった書籍の他に情報内容には電子音楽及び映像情報が含まれる。この書籍はカスタマー２０から電子書籍サービス提供業者１０５へ提供される。この例では、その書籍の原版が出版社１０３に残存しない場合に限って、現物を提供する方法を採るとよい。電子書籍サービス提供業者１０５に同一の書籍が何冊も保管をしなくてはならない事態が避けられるためである。その書籍の提供方法は持参又は郵送等を問わない。もしも、その書籍の原版が出版社１０３に残存する場合は、カスタマー２０はその書籍を任意に処分してもよいことになる。
【００６１】
そして、ステップＢ５で電子化を希望する書籍の登録が済んだか否かをチェックする。その登録が全部済んだ場合は、ステップＢ６に移行する。その登録が全部済んでいない場合は、ステップＢ５に戻って上述した処理を継続する。その後、ステップＢ６に移行して回線「断」処理をし、そして、ステップＢ７に移行して電源をＯＦＦして契約・登録時の情報処理を終了する。
［情報配信装置２における処理例］
図６は情報配信装置２における処理例を示すフローチャートである。この実施例では、電子書籍サービス提供業者１０５には予め情報配信装置２が準備される。書籍登録情報Ｄ１を受け付けると共に当該書籍登録情報Ｄ１を管理し、ここに受け付けられた書籍登録情報Ｄ１の登録数Ｎｘと予め設定した電子化規定数Ｎｒとを比較し、この比較結果に基づいて書籍登録情報Ｄ１を電子化するようになされる。
【００６２】
これを処理条件にして図６に示すフローチャートのステップＣ１で情報配信装置２の電源をＯＮする。このとき、キーボード１１Ａ及びマウス１１Ｂ等の入力ツールを使用してシステムを立ち上げる。例えば、電源がオンされると、ＣＰＵ２５はＲＯＭ１２からシステムプログラムデータＤ５，Ｄ６等を読み出してシステムを起動し、キーボード１１Ａ及びマウス１１Ｂ等からの操作データＤ３に基づいて当該情報配信装置全体を制御するようになされる。
【００６３】
ステップＣ２で管理エディタ２３ではエンドユーザからの電子化希望が有るか否かが監視される。電子化希望が有る場合は、当該情報配信装置２が呼び出されるので、通信回線を接続する。この回線接続には通信事業者１０４のインターネットや公衆回線等の既存の通信基盤が使用される。ステップＣ３でエンドユーザとサービス契約を締結すると共に、カスタマー２０からの書籍登録情報Ｄ１の受付登録処理を実行する。このとき、管理エディタ２３ではキーボード１１Ａ及びマウス１１Ｂ等を操作することにより、カスタマー２０の住所、連絡先情報、電子化を希望する登録本のタイトルや、その発行年月日等の書籍登録情報Ｄ１等が受け付けられる。
【００６４】
ステップＣ４で管理エディタ２３によってカスタマー２０の住所、連絡先情報、電子化を希望する登録本のタイトルや、その発行年月日等の書籍登録情報Ｄ１の管理処理に移行される。これらの書籍登録情報Ｄ１は表示データＤ４となってモニタ２２に出力され、カスタマー２０の住所、連絡先情報、電子化を希望する登録本のタイトルや、その発行年月日等が表示される。この受付登録処理終了後は、回線「断」処理をし、その後、ステップＣ５に移行する。
【００６５】
このステップＣ５では書籍登録情報Ｄ１の登録数Ｎｘが予め設定した電子化規定数Ｎｒを越えたか否かをチェックする。このとき、作成エディタ２６では管理エディタ２３によって管理される書籍登録情報Ｄ１の登録数Ｎｘと予め設定された電子化規定数Ｎｒとが比較される。この例では、その登録数Ｎｘが予め設定した電子化規定数Ｎｒを越えた場合は電子化が決定され、ステップＣ６に移行する。その登録数Ｎｘが電子化規定数Ｎｒ以下である場合には、電子化が見送られ、ステップＣ４に戻って上述の処理を継続する。
【００６６】
このステップＣ６では書籍登録情報Ｄ１の内容を実際に電子化する処理がなされる。例えば、出版社１０３に原版が残存する場合には、電子書籍サービス提供業者１０５は、カスタマー２０から電子化希望が有った登録本の電子化を図２に示した経路▲４▼で出版社１０３へ委託する。また、出版社１０３に原版が残存しない場合には、出版社１０３あるいは著作権者と、その著作物の著作権の使用許諾契約を締結し、その登録本に基づいて、電子書籍サービス提供業者１０５の情報配信装置２の作成エディタ２６によって電子書籍データＤ２を作成する。
【００６７】
例えば、登録本を１ページから順に最終ページまでイメージスキャナ等により読み取って、文字認識処理をし、文字画像を編集可能な文字データに変換する。挿し絵部分もイメージスキャナ等により読み取って、画像処理をし、色付け編集可能なビットマップデータに変換する。その後、活字は文字データのフォントを設定したり、文書の行間、段落を調整し、挿し絵部分の画像データは色付け編集処理等を行なうことにより、電子書籍を作成するようになされる。なお、出版社１０３で登録本を電子化した場合は、電子化後の電子書籍データＤ２が図２に示した経路▲５▼で出版社１０３のパソコン４から電子書籍サービス提供業者１０５の情報配信装置２へ転送される。
【００６８】
そして、ステップＣ７に移行して電子情報内容の配信処理を実行する。このとき、出版社１０３から転送された電子書籍データＤ２又は、作成エディタ２６によって作成された電子書籍データＤ２を通信モデム２７を使用してカスタマー２０へ配信するように処理される。この電子書籍データＤ２の配信にはインターネットや公衆回線等の既存の通信基盤が使用される。その後、ステップＣ８に移行して終了判断をする。例えば、電源ＯＦＦ情報を検出して情報配信処理を終了する。電源ＯＦＦ情報が検出されない場合は、ステップＣ２に戻って上述した処理を繰り返すようになされる。
【００６９】
［登録状況検索時の処理例］
図７はパソコン３における登録状況検索時の処理例を示すフローチャートである。この実施例では電子書籍サービス提供業者１０５によって管理される書籍登録情報Ｄ１の登録数Ｎｘを含む登録項目をモニタ３２に表示し、このモニタ３２に表示された書籍登録情報Ｄ１の登録数Ｎｘを含む登録項目をパソコン３のキーボード３１Ａ及びマウス３１Ｂ等の入力ツールを使用して検索する場合を例に挙げる。
【００７０】
これを処理条件にして図７に示すフローチャートのステップＥ１でパソコン３の電源をＯＮする。このとき、キーボード３１Ａ及びマウス３１Ｂ等の入力ツールを使用してシステムを立ち上げる。そして、ステップＥ２で電子書籍サービス提供業者１０５の情報配信装置２を呼出して、通信回線を接続する。この回線接続には通信事業者１０４のインターネットや公衆回線等の既存の通信基盤が使用される。その後、ステップＥ３でその情報配信装置２からダウンロードした掲示画面をモニタ３２へ表示する。そして、ステップＥ４でパソコン３のキーボード３１Ａ及びマウス３１Ｂ等を使用して「登録本」の電子化有無の検索処理を実行する。
【００７１】
ステップＥ５では「登録本」の電子化有無の検索処理を全部済んだかがチェックされる。その検索が全部済んだ場合はステップＥ６に移行する。その検索が全部済んでいない場合はステップＥ４に戻って上述した処理を継続する。ステップＥ５で検索が全部済んだ場合は、ステップＥ６に移行して回線「断」処理をし、その後、ステップＥ７に移行して電源をＯＦＦして登録状況検索時の処理例を終了する。
【００７２】
この例で検索が全部済んだ後に、ステップＥ６で回線「断」処理を実行しているが、これに限られることはなく、検索に必要な書籍登録情報Ｄ１をステップＥ３で全部ダウンロードした後に、一旦、回線「断」処理を実行し、その後、検索処理をするようにしもよい。これは回線接続時間を短縮するためである。
【００７３】
［電子書籍データＤ２の購入及びその利用時の処理例］
図８はパソコン３における電子書籍データＤ２の購入及びその利用時の処理例を示すフローチャートである。この例では電子化決定後に、その旨をカスタマー２０に連絡したり、インターネット上のホームページで電子書籍データＤ２の購入時期到来を表示される場合を例に挙げる。カスタマー２０は、図２に示した経路▲６▼で電子書籍データＤ２（ディジタルコンテンツ）を購入するようになされる。
【００７４】
これを処理条件にして、カスタマー２０は図８に示すフローチャートのステップＦ１でパソコン３の電源をＯＮする。このとき、キーボード３１Ａ及びマウス３１Ｂ等の入力ツールを使用してシステムを立ち上げる。そして、ステップＦ２で電子書籍サービス提供業者１０５の情報配信装置２を呼出して、通信回線を接続する。この回線接続には通信事業者１０４のインターネットや公衆回線等の既存の通信基盤が使用される。
【００７５】
その後、ステップＦ３でカスタマーはパソコン３を使用して情報配信装置２に対し電子書籍データＤ２の購入要求を送信する。情報配信装置２はこの購入要求を受信し、サービス契約であることを確認すると共に、電子書籍データＤ２の配信処理に移行する。そして、ステップＦ４で電子書籍サービス提供業者１０５からカスタマー２０へ電子書籍データＤ２が配信される。電子書籍データＤ２はパソコン内のＨＤＤや、ＣＤ−Ｒ等のメモリへダウンロードされて保存される。
【００７６】
その後、ステップＦ５で回線「断」処理をし、そして、ステップＦ６に移行する。ステップＦ６ではパソコン３のモニタ３２上で電子書籍データＤ２を利用するか否かがチェックされる。このとき、電子書籍データＤ２を利用する場合は、ステップＦ７に移行してＨＤＤや、ＣＤ−Ｒ等のメモリから電子書籍データＤ２を読み出してモニタ３２に表示する。この表示により電子書籍という形態で「本」を読むことができる。その後、ステップＡ８に移行する。
【００７７】
上述のステップＦ６で電子書籍データＤ２を利用しない場合は、ステップＦ８で終了判断をする。パソコン３では電源ＯＦＦ情報等を検出して情報処理を終了する。情報処理を終了しない場合は、ステップＡ６に戻って電子書籍データＤ２を利用するかがチェックされる。
【００７８】
このように、本発明に係る実施例としてのカスタマー希望書籍電子情報配信システム及び情報処理方法によれば、任意の書籍登録情報Ｄ１の内容を電子化してディジタルコンテンツ配信する場合に、キーボード１１Ａやマウス１１Ｂ等を使用して電子化を希望する任意の書籍登録情報Ｄ１の登録が受け付けられる。管理エディタ２３では、キーボード１１Ａやマウス１１Ｂ等によって受け付けられた書籍登録情報Ｄ１の内容が管理される。作成エディタ２６では管理エディタ２３によって管理される書籍登録情報Ｄ１の登録数Ｎｘと予め設定された電子化規定数Ｎｒとが比較され、当該比較結果に基づいて情報内容を電子化するようになされる。
【００７９】
従って、電子書籍サービス提供業者側では書籍登録情報Ｄ１の登録数Ｎｘが電子化規定数Ｎｒを越えた場合に、当該書籍登録情報Ｄ１を電子化してユーザへそのディジタルコンテンツを配信することができるので、既に販売された新刊、あるいは、廃版になった書籍等の書籍登録情報Ｄ１を効率良く電子配信処理することができる。カスタマー希望登録書籍電子情報配信システム等を再現性良く構築できるようになる。
【００８０】
また、書籍登録情報Ｄ１の登録数Ｎｘが電子化規定数Ｎｒ以下である場合には、その書籍登録情報Ｄ１の電子化を踏み止めることができるので、当該電子書籍サービス提供業者１０５にとって無駄な経費を削減できるようになる。これにより、電子出版市場を拡張できるので、電子出版業界の活性化を実現できるようになり、ひいては産業の発達に寄与するところが大きい。
【００８１】
しかも、カスタマー２０が家庭で処理に困っていた「本」を電子化することにより、限られた家の空間を有効に使えるようになる。電子書籍サービス提供業者１０５では、無駄なコンテンツを電子化せずに、高効率的に電子化を実現できるようになる。しかも、電子出版市場を拡張できるので、出版業界の活性化を実現できるようになる。つまり、書籍物の電子化のメリットである“本が占有している空間を無くす”ことに販売市場を広げることでビジネスを拡大することができるようになる。
【００８２】
【発明の効果】
以上説明したように、本発明に係る電子情報配信システム及び情報処理方法によれば、任意の情報内容を電子化して配信する情報配信装置を備え、電子化を希望する任意の情報内容の登録を受け付けると共に当該情報内容を管理し、ここに受け付け管理される情報内容の登録数と予め設定された電子化規定数とを比較し、当該比較結果に基づいて情報内容を電子化するようになされる。
【００８３】
この構成によって、情報内容の登録数が電子化規定数を越えた場合に、当該情報内容を電子化してユーザへ配信することができるので、既に販売された新刊、あるいは、廃版になった書籍等の書籍登録情報を効率良く電子配信処理する書籍登録情報電子配信システム等を構築できるようになる。また、情報内容の登録数が電子化規定数以下である場合には、その情報内容の電子化を踏み止めることができるので、当該電子情報配信事業者にとって無駄な経費を削減できるようになる。これにより、電子出版市場を拡張できるので、電子出版業界の活性化を実現できるようになり、ひいては我が国の産業の発達に寄与するところが大きい。
【００８４】
本発明に係る情報配信装置によれば、任意の情報内容を電子化して配信する場合に、この情報内容の登録数と予め設定された電子化規定数とを比較し、当該比較結果に基づいて情報内容を電子化する情報作成手段を備えるものである。
【００８５】
この構成によって、情報内容の登録数が電子化規定数を越えた場合に、当該情報内容を電子化してユーザへ配信することができるので、既に販売された新刊、あるいは、廃版になった書籍等の書籍登録情報を効率良く電子配信処理する書籍登録情報電子配信システム等の構築に当該情報配信装置を十分応用できるようになる。しかも、書籍物の電子化のメリットである“本が占有している空間を無くす”ことに販売市場を広げることでビジネスを拡大することができるようになる。
【００８６】
この発明は、既に販売された新刊、あるいは、廃版になった書籍等の書籍登録情報を電子配信処理するカスタマー希望登録書籍電子情報配信システム等に適用して極めて好適である。
【図面の簡単な説明】
【図１】Ａ及びＢは本発明に係る実施形態としての電子情報配信システム１の構成例を示すブロック図及び、その処理例を示すフローチャートである。
【図２】本発明に係る実施例としてのカスタマー希望登録書籍電子情報配信システム１０の構成例を示す概念図である。
【図３】本発明に係る実施例としての情報配信装置２の内部構成例を示すブロック図である。
【図４】パソコン３における電子書籍データの保存例を示す概念図である。
【図５】パソコン３における契約・登録時の処理例を示すフローチャートである。
【図６】情報配信装置２における処理例を示すフローチャートである。
【図７】パソコン３における登録状況検索時の処理例を示すフローチャートである。
【図８】パソコン３における電子書籍データの購入及びその利用時の処理例を示すフローチャートである。
【符号の説明】
１・・・電子情報配信システム、２・・・情報配信装置、３，４・・・パソコン（情報処理装置）、６・・・記録媒体（不揮発性の記憶装置）、１１Ａ，３１Ａ・・・キーボード（入力手段，検索手段）、１１Ｂ，３１Ｂ・・・マウス（入力手段，検索手段）、２２，３２・・・モニタ（表示手段）、２３・・・管理エディタ（情報管理手段）、２４・・・ハードディスク（ＨＤＤ；不揮発性の記憶装置）、２５・・・ＣＰＵ（制御手段）、２６・・・作成エディタ（情報作成手段）、２７・・・通信モデム（情報配信手段）、＃ｉ（ｉ＝１〜ｎ）・・・情報処理装置、１０・・・カスタマー希望登録書籍電子情報配信システム（電子情報内容配信システム）
【図１】
2004240842.tif 000003
【図２】
2004240842.tif 000004
【図３】
2004240842.tif 000005
【図４】
2004240842.tif 000006
【図５】
2004240842.tif 000007
【図６】
2004240842.tif 000008
【図７】
2004240842.tif 000009
【図８】
2004240842.tif 000010